(57)【要約】【課題】  小型で安価であり、かつ運転コストが低い汚泥減容装置を提供すること。【解決手段】  汚泥貯留槽７０に貯留された活性汚泥の一部を、汚泥供給ポンプ８３で第１連通路８２を通じてオゾン接触塔８１に供給し、オゾン接触塔８１内に設けた循環路８１Ｂに活性汚泥を循環ポンプ８６で循環させながらオゾン処理部８５でオゾンと接触させることで活性汚泥を分解処理したオゾン処理水を得た後、オゾン処理水を電極装置８７に通過させて酸素および水素の微細気泡を混合させる処理を繰り返し実行し、オゾン接触塔８１内のオゾン処理水を汚泥貯留槽７０に戻す。以上の処理を繰り返し行って汚泥貯留槽７０に貯留した活性汚泥を減容処理することを特徴とする汚泥減容装置８０である。【選択図】図２
0003208781.tif 000002
【実用新案登録請求の範囲】
【請求項１】
活性汚泥を貯留し、散気装置が配設された汚泥貯留槽と、
前記汚泥貯留槽から供給された前記活性汚泥をオゾンと接触させて前記活性汚泥を分解処理したオゾン処理水を生成するオゾン接触塔と、
前記汚泥貯留槽から前記オゾン接触塔へ前記活性汚泥を供給する汚泥供給ポンプと、
前記汚泥供給ポンプで前記汚泥貯留槽から汲み上げた前記活性汚泥を前記オゾン接触塔に供給する第１連通路と、
止水弁を有し、前記オゾン接触塔で生成された前記オゾン処理水を前記汚泥貯留槽に戻すための第２連通路と、を具備し、
前記オゾン接触塔には、
前記活性汚泥または前記活性汚泥および前記オゾン処理水との混合液を循環路を通じて所定時間循環させる循環ポンプと、
前記循環路を循環する前記活性汚泥または前記活性汚泥および前記オゾン処理水との混合液をオゾン生成機により生成されたオゾンに接触させて前記オゾン処理水を生成するオゾン処理部と、
前記循環路の下流側位置において、酸素と水素の気泡を生成すると共に、前記オゾン処理水に前記酸素の気泡と前記水素の気泡を混合させる電極装置と、が配設されていることを特徴とする汚泥減容装置。
【請求項２】
前記循環路は上流側端部が前記オゾン接触塔の底部に開口し、下流側端部が前記電極装置に連結されていることを特徴とする請求項１記載の汚泥減容装置。
【請求項３】
前記汚泥供給ポンプおよび前記循環ポンプの動作ならびに前記オゾン生成機および前記電極装置の動作を制御する動作制御部と、前記オゾン接触塔内に設けられ、前記汚泥貯留槽から汲み上げられた前記活性汚泥または前記活性汚泥および前記オゾン処理水が所定水位に到達したことを検出する水位検出手段とをさらに備え、
前記動作制御部は、前記水位検出手段により前記オゾン接触塔内における前記活性汚泥または前記活性汚泥および前記オゾン処理水との混合液が所定水位に到達したことを検出すると、前記汚泥供給ポンプの動作を停止させ、前記循環ポンプを所定時間動作させ、前記オゾン生成機および前記電極装置を動作させる処理を実行することを特徴とする請求項１または２記載の汚泥減容装置。
【請求項４】
前記動作制御部は、前記オゾン接触塔内における前記活性汚泥の分解処理が所定時間行われると、前記循環ポンプ、前記オゾン生成機および前記電極装置の動作を停止させると共に、前記止水弁を開放させる処理を実行し、前記第２連通路を通じて前記オゾン接触塔内の前記オゾン処理水を前記汚泥貯留槽に戻すことを特徴とする請求項３記載の汚泥減容装置。
【請求項５】
前記汚泥貯留槽または前記汚泥貯留槽および前記オゾン接触塔は、排水弁を有する排水路をさらに具備し、
前記動作制御部は、前記オゾン接触塔における前記循環ポンプの稼働回数が所定回数に到達すると、前記オゾン接触塔内における前記活性汚泥の分解処理を所定時間行った後に、前記循環ポンプ、前記オゾン生成機および前記電極装置の動作を停止させると共に、前記排水弁を開放させる処理を実行し、前記排水路を通じて前記汚泥貯留槽または前記汚泥貯留槽および前記オゾン接触塔から前記オゾン処理水を外部に排出することを特徴とする請求項３または４記載の汚泥減容装置。
【考案の詳細な説明】
【技術分野】
【０００１】
本考案は活性汚泥法による排水処理により生じた活性汚泥をオゾンを用いて減容する汚泥減容装置に関する。
【背景技術】
【０００２】
生活排水や工場排水等を河川に放流するにあたっては、好気性微生物による分解活動を利用した活性汚泥法による排水処理が広く用いられている。このような活性汚泥法を用いた排水処理を行うと、好気性微生物により分解された成分が活性汚泥として大量に発生することになる。排水処理の結果生じた活性汚泥のうち、一部の活性汚泥については余剰汚泥として再利用されることになるが、大半の活性汚泥は脱水処理等による減容処理をした後に廃棄処分されている。
【０００３】
このような活性汚泥の脱水処理による減容処理は処理コストがかさむため、近年では活性汚泥を脱水処理する前に、予め活性汚泥そのものを減容する処理が行われている。このような脱水処理前の汚泥処理方法としては、活性汚泥をオゾンに接触させることにより活性汚泥を減容する方法が開発されている。このような汚泥減容方法を採用した汚泥減容装置の一例としては、特許文献１に開示されているような構成のものが提案されている。
【先行技術文献】
【特許文献】
【０００４】
【特許文献１】特開２０１３−１８８６６４号公報
【考案の概要】
【考案が解決しようとする課題】
【０００５】
特許文献１には、通常の活性汚泥排水処理装置における活性汚泥槽内にオゾンを供給するためのオゾン供給装置を追加した構成が開示されている。このような汚泥減容装置の構成を採用することにより脱水処理前の活性汚泥を分解処理することが可能になった。しかしながら汚泥貯留槽内の活性汚泥に対して十分なオゾンを供給するためには大規模なオゾン供給装置が必要になる。このため汚泥減容装置が大型化し、汚泥減容装置の製造コストや運転コストが高騰してしまうという課題があった。そこで、小型で安価であり、しかも運転コストが低い汚泥減容装置の提案が望まれていた。
【０００６】
そこで本考案は、小型で安価であり、かつ運転コストが低い汚泥減容装置の提供を目的としている。
【課題を解決するための手段】
【０００７】
上記課題を解決するために本考案者は鋭意研究を行った結果、以下の構成に想到した。すなわち、活性汚泥を貯留し、散気装置が配設された汚泥貯留槽と、前記汚泥貯留槽から供給された前記活性汚泥をオゾンと接触させて前記活性汚泥を分解処理したオゾン処理水を生成するオゾン接触塔と、前記汚泥貯留槽から前記オゾン接触塔へ前記活性汚泥を供給する汚泥供給ポンプと、前記汚泥供給ポンプで前記汚泥貯留槽から汲み上げた前記活性汚泥を前記オゾン接触塔に供給する第１連通路と、止水弁を有し、前記オゾン接触塔で生成された前記オゾン処理水を前記汚泥貯留槽に戻すための第２連通路と、を具備し、前記オゾン接触塔には、前記活性汚泥または前記活性汚泥および前記オゾン処理水との混合液を循環路を通じて所定時間循環させる循環ポンプと、前記循環路を循環する前記活性汚泥または前記活性汚泥および前記オゾン処理水との混合液をオゾン生成機により生成されたオゾンに接触させて前記オゾン処理水を生成するオゾン処理部と、前記循環路の下流側位置において、酸素と水素の気泡を生成すると共に、前記オゾン処理水に前記酸素の気泡と前記水素の気泡を混合させる電極装置と、が配設されていることを特徴とする汚泥減容装置である。
【０００８】
これにより、汚泥貯留槽に貯留されている活性汚泥の一部を抽出してオゾン接触塔に取り込み、オゾン接触塔で活性汚泥にオゾンを接触させて活性汚泥の分解処理を実行することで、汚泥処理装置を小型かつ安価にすることができ、運転コストを低減させることができる。また、活性汚泥を短時間で確実に減容処理することが可能になる。
【０００９】
また、前記循環路は上流側端部が前記オゾン接触塔の底部に開口し、下流側端部が前記電極装置に連結されていることが好ましい。
【００１０】
これにより、活性汚泥をオゾンと接触処理させた後のオゾン処理水をオゾン接触塔内で拡散させることができ、オゾン処理水および活性汚泥におけるオゾンの溶解度を高めることができ、活性汚泥の減容処理をさらに効率的に行うことが可能になる。
【００１１】
また、前記汚泥供給ポンプおよび前記循環ポンプの動作ならびに前記オゾン生成機および前記電極装置の動作を制御する動作制御部と、前記オゾン接触塔内に設けられ、前記汚泥貯留槽から汲み上げられた前記活性汚泥または前記活性汚泥および前記オゾン処理水が所定水位に到達したことを検出する水位検出手段とをさらに備え、前記動作制御部は、前記水位検出手段により前記オゾン接触塔内における前記活性汚泥または前記活性汚泥および前記オゾン処理水との混合液が所定水位に到達したことを検出すると、前記汚泥供給ポンプの動作を停止させ、前記循環ポンプを所定時間動作させ、前記オゾン生成機および前記電極装置を動作させる処理を実行することが好ましい。
【００１２】
これにより、オゾン接触塔に適切な分量の活性汚泥または活性汚泥とオゾン処理水の混合液を貯留させた状態でオゾンおよび電極装置との接触処理を行うことができるため、オゾン接触塔内における活性汚泥およびオゾン処理水に対するオゾン接触処理および混合処理を短時間で均一なものにすることができる。
【００１３】
また、前記動作制御部は、前記オゾン接触塔内における前記活性汚泥の分解処理が所定時間行われると、前記循環ポンプ、前記オゾン生成機および前記電極装置の動作を停止させると共に、前記止水弁を開放させる処理を実行し、前記第２連通路を通じて前記オゾン接触塔内の前記オゾン処理水を前記汚泥貯留槽に戻すことが好ましい。
【００１４】
これにより、オゾン処理塔において活性汚泥をオゾンと接触処理を行って得たオゾン処理水を第２連通路を通じて汚泥貯留槽に自動的に戻すことができるため、運転コストをさらに低減させることができる。
【００１５】
また、前記汚泥貯留槽または前記汚泥貯留槽および前記オゾン接触塔は、排水弁を有する排水路をさらに具備し、前記動作制御部は、前記オゾン接触塔における前記循環ポンプの稼働回数が所定回数に到達すると、前記オゾン接触塔内における前記活性汚泥の分解処理を所定時間行った後に、前記循環ポンプ、前記オゾン生成機および前記電極装置の動作を停止させると共に、前記排水弁を開放させる処理を実行し、前記排水路を通じて前記汚泥貯留槽または前記汚泥貯留槽および前記オゾン接触塔から前記オゾン処理水を外部に排出することが好ましい。
【００１６】
これにより、汚泥貯留槽内の活性汚泥に対しオゾン接触塔によるオゾン接触処理を一巡させることにより、汚泥貯留槽内の活性汚泥の全てオゾン処理水にした（減容処理した）後、汚泥貯留槽内または汚泥貯留槽内およびオゾン接触塔内のオゾン処理水を外部に排出することができる。
【考案の効果】
【００１７】
本考案にかかる汚泥減容装置の構成により、汚泥貯留槽内の活性汚泥の一部を抽出してオゾン接触塔でオゾンとの接触処理を行うことができる。このように少量ずつの活性汚泥をオゾン処理水にしている（減容処理する）ため、汚泥減容装置を小型かつ安価にすることができ、運転コストを低減させることが可能になる。また、オゾン接触塔内に取り込んだ活性汚泥に対してオゾンとの接触処理を十分に行うことができるから、活性汚泥を効率的かつ確実にオゾン処理水にする（減容処理する）ことが可能になる。
【図面の簡単な説明】
【００１８】
【図１】本実施形態における排水処理装置の概略構成図である。
【図２】本実施形態における排水処理装置内の汚泥減容装置部分を取り出した構成図である。
【図３】本実施形態における汚泥減容装置を用いた活性汚泥の減容処理の途中経過状態を示す概略構成図である。
【図４】本実施形態における汚泥減容装置を用いた活性汚泥の減容処理の途中経過状態を示す概略構成図である。
【図５】本実施形態における汚泥減容装置を用いた活性汚泥の減容処理の途中経過状態を示す概略構成図である。
【図６】本実施形態における汚泥減容装置を用いた活性汚泥の減容処理の途中経過状態を示す概略構成図である。
【図７】本実施形態における汚泥減容装置を用いた活性汚泥の減容処理の途中経過状態を示す概略構成図である。
【図８】活性汚泥の原液と、本実施形態における汚泥減容装置によって所定時間オゾンとの接触処理を行った後のオゾン処理水の状態変化の写真である。
【図９】活性汚泥の原液とオゾン処理水のそれぞれの成分の比較結果のグラフである。
【考案を実施するための形態】
【００１９】
以下、本考案における汚泥減容装置を有する排水処理装置の実施形態について図面に基づいて具体的に説明する。図１に示すように本実施形態における排水処理装置１００は、スクリーン１０と、最初沈澱池２０と、流量調整槽３０と、曝気槽４０と、最終沈澱池５０と、放流ピット６０と、汚泥貯留槽７０と、汚泥減容装置８０と、を具備している。
【００２０】
ここで、スクリーン１０は、工場や住居等からの排水に含まれる浮遊物の一部を捕捉するものである。また、最初沈澱池２０は、スクリーン１０を通過させた排水から水不溶物を沈殿分離させるものである。また、流量調整槽３０は、最初沈澱池２０を通過させた排水を貯留し、曝気槽４０への排水の流入量を調整するためのものである。また、曝気槽４０は、流量調整槽３０から流下してきた排水を貯留し、好気性微生物による微生物処理を行うものであり、図示しない散気装置を有している。また、最終沈澱池５０は、曝気槽４０から流出した活性汚泥から上澄み水のみを流下させるためのものである。また、放流ピット６０は、最終沈澱池５０から流下した、上澄み水を河川等に放流させる前に濾過処理および消毒処理をするためのものである。
【００２１】
また、汚泥貯留槽７０は、最終沈澱池５０に沈殿した活性汚泥を貯留するためのものである。本実施形態においては、汚泥貯留槽７０にも活性汚泥を汚泥貯留槽７０内で攪拌させるための散気装置７２が配設されている。そして、汚泥減容装置８０は、汚泥貯留槽７０に貯留されている活性汚泥を減容処理するためのものである。散気装置７２の動作は後述する動作制御部８０Ａにより制御されている。
【００２２】
このように、本実施形態における排水処理装置１００の構成のうち、スクリーン１０と、最初沈澱池２０と、流量調整槽３０と、曝気槽４０と、最終沈澱池５０と、放流ピット６０と、汚泥貯留槽７０については、それぞれ公知の構成を採用することができるため、ここでの詳細な説明は省略する。
【００２３】
図２に示すように、本実施形態における汚泥減容装置８０は、オゾン接触塔８１と、第１連通路８２と、汚泥供給ポンプ８３と、オゾン処理部８５と、循環ポンプ８６と、電極装置８７と、第２連通路８８と、排水路８９と、汚泥減容装置８０における各構成の動作制御を行う動作制御部８０Ａとカウンタ８０Ｂとを具備している。カウンタ８０Ｂは循環ポンプ８６の稼働回数をカウントするためのものである。
【００２４】
オゾン接触塔８１は、汚泥貯留槽７０から汚泥貯留槽７０に貯留されている活性汚泥または活性汚泥とオゾン処理水の混合液の一部を抽出し、オゾンに接触処理させるためのものである。オゾン接触塔８１の貯留容量は、汚泥貯留槽７０の貯留容量よりも少なく設定されている。具体的には、オゾン接触塔８１の貯留容量は、汚泥貯留槽７０の貯留容量の１／２〜１／５程度であることが好ましい。オゾン接触塔８１の内部には、オゾン接触塔８１に貯留された活性汚泥が予め設定された水位（所定水位）に到達したことを検出すると共に動作制御部８０Ａに検出信号を送信可能な水位検出手段８１Ａが配設されている。
【００２５】
また、オゾン接触塔８１には循環路８１Ｂが配設されている。循環路８１Ｂの上流側端部８１Ｃはオゾン接触塔８１の底部に開口し、循環路８１Ｂの下流側端部８１Ｄは電極装置８７に連結されている。また、循環路８１Ｂの中途位置にはオゾン生成機８５Ｂと循環ポンプ８６が配設されており、循環路８１Ｂに活性汚泥または活性汚泥およびオゾン処理水の混合液を所定時間循環させる。循環路８１Ｂを通過する活性汚泥（または活性汚泥とオゾン処理水の混合液）を確実にオゾンと接触処理させることができる。ここで、オゾン接触塔８１に貯留された活性汚泥のうち、循環路８１Ｂを少なくとも一回通過させた（少なくとも一回はオゾンとの接触処理（減容処理）がなされた）活性汚泥のことをオゾン処理水と称している。また、活性汚泥は、排水を活性汚泥法により微生物分解処理して得たフロックと水の混合液を指している。
【００２６】
そして、オゾン接触塔８１には循環路８１Ｂを通過させたオゾン処理水（またはオゾン接触等８１内の活性汚泥およびオゾン処理水の混合液）から水素および酸素の微細気泡を生成するための電極装置８７が配設されている。図２からも明らかなように、電極装置８７は循環路８１Ｂの下流側位置（より詳細にはオゾン生成機８５Ｂよりも下流側位置）に配設されている。
【００２７】
第１連通路８２は、汚泥貯留槽７０をオゾン接触塔８１に連通させるためのものである。ここでは、第１連通路８２を流量調整槽３０にも連通させている。第１連通路８２には、汚泥貯留槽７０と流量調整槽３０または汚泥貯留槽７０とオゾン接触塔８１との連通状態をいずれか一方に切り替えする第１切替弁８２Ａが配設されている。第１切替弁８２Ａによる第１連通路８２の流路切替動作は、動作制御部８０Ａにより制御されている。
【００２８】
汚泥供給ポンプ８３は、汚泥貯留槽７０に貯留されている活性汚泥（または活性汚泥とオゾン処理水の混合液）を第１連通路８２を介してオゾン接触塔８１に汲み上げて供給するためのものである。汚泥供給ポンプ８３の動作は動作制御部８０Ａにより制御されている。ここでは、オゾン接触塔８１内に供給された活性汚泥（または活性汚泥とオゾン処理水の混合液）の水位が所定水位に到達したことを水位検出手段８１Ａが検出するまでの間、動作制御部８０Ａは汚泥供給ポンプ８３を作動させている。動作制御部８０Ａが水位検出手段８１Ａから送信された水位検出信号を受信すると、動作制御部８０Ａは汚泥供給ポンプ８３の動作を停止させる処理を実行する。
【００２９】
循環路８１Ｂには、循環路８１Ｂを流通する活性汚泥（または活性汚泥とオゾン処理水の混合液）にオゾンを接触させるためのオゾン処理部８５が配設されている。本実施形態におけるオゾン処理部８５は、酸素発生機８５Ａとオゾン生成機８５Ｂとにより構成されている。酸素発生機８５Ａは、ＰＳＡ（Pressure Swing Adsorption）式の酸素濃縮器に代表される公知の構成を採用することができる。酸素発生機８５Ａの酸素排出部はオゾン生成機８５Ｂの酸素取込部に接続されている。オゾン生成機８５Ｂは、酸素発生機８５Ａが発生した酸素からオゾンを生成し、生成したオゾンを循環路８１Ｂに供給している。本実施形態におけるオゾン生成機８５Ｂは、無声放電方式に代表される公知の手法を採用することができる。酸素発生機８５Ａおよびオゾン生成機８５Ｂ（オゾン処理部８５）の動作は動作制御部８０Ａにより制御されている。
【００３０】
循環ポンプ８６はオゾン接触塔８１内の活性汚泥（または活性汚泥とオゾン処理水の混合液）を順次循環路８１Ｂに供給し、オゾン生成機８５Ｂからのオゾンと電極装置８７に繰り返し接触させるためのものである。循環ポンプ８６の動作は動作制御部８０Ａにより制御されている。
【００３１】
第２連通路８８は、オゾン接触塔８１内に貯留していた活性汚泥の全てをオゾン処理水にした後、オゾン処理水を汚泥貯留槽７０に戻すためのものである。第２連通路８８には止水弁８８Ａが配設されている。止水弁８８Ａは手動弁であってもよいし、動作制御部８０Ａにより開閉動作が制御される自動弁であってもよい。
【００３２】
排水路８９は、汚泥貯留槽７０およびオゾン接触塔８１内のオゾン処理水を外部に排出させるためのものである。本実施形態においては、汚泥貯留槽７０およびオゾン接触塔８１のオゾン処理水はいずれも流量調整槽３０に排水される。排水路８９には排水弁８９Ａが配設されている。排水弁８９Ａの開閉動作は、動作制御部８０Ａにより制御されている。
【００３３】
本実施形態における汚泥減容装置８０は、以上のような構成を有している。続いて、本実施形態における汚泥減容装置８０を用いた活性汚泥の減容処理方法について説明を行うことにする。
【００３４】
汚泥減容装置８０の運転が開始すると、動作制御部８０Ａは汚泥貯留槽７０内の散気装置７２と汚泥供給ポンプ８３を稼働させる処理を実行し、図３に示すように汚泥貯留槽７０内の活性汚泥を第１連通路８２を通じてオゾン接触塔８１に供給する。図４に示すようにオゾン接触塔８１内に供給された活性汚泥が所定水位に到達すると、水位検出手段８１Ａが水位を検出すると共に水位検出信号を動作制御部８０Ａに送信する。動作制御部８０Ａは水位検出信号を受信すると、汚泥供給ポンプ８３の動作を停止させる処理を実行する。このとき散気装置７２の動作は継続稼働させてもよいし汚泥供給ポンプ８３と共に停止させておくこともできる。また、動作制御部８０Ａは、必要に応じて第１連通路８２における流量調整槽３０への流路を閉塞させるように第１切替弁８２Ａを閉塞させる処理を実行してもよい。
【００３５】
動作制御部８０Ａは、汚泥供給ポンプ８３の動作停止処理と同時またはその後に、図５に示すように、酸素発生機８５Ａとオゾン生成機８５Ｂと循環ポンプ８６と電極装置８７を予め設定した時間稼働させる処理を実行する。これにより、オゾン接触塔８１に供給された活性汚泥は循環ポンプ８６により、オゾン接触塔８１の内底部に開口した循環路８１Ｂの上流側端部８１Ｃから取り込まれ、オゾン処理部８５から循環路８１Ｂに供給されたオゾンとの接触処理がなされ、オゾン処理水になる（減容処理される）。
【００３６】
オゾン処理部８５を通過させることによりオゾン処理されたオゾン処理水は、循環路８１Ｂの下流側端部８１Ｄに連結された電極装置８７との接触処理がなされることになる。電極装置８７にオゾン処理水を通過させることにより、オゾン接触塔８１内の活性汚泥およびオゾン処理水に微細な酸素気泡および水素気泡が混合および溶解され、オゾン接触塔８１内の活性汚泥とオゾン処理水におけるオゾンの溶解度を向上させることができる。電極装置８７を通過したオゾン処理水はオゾン接触塔８１の内部に放出される。
【００３７】
電極装置８７はオゾン接触塔８１の底部で開口しているため、循環ポンプ８６が稼働している間はオゾン接触塔８１内の活性汚泥または活性汚泥とオゾン処理水の混合液が順次循環路８１Ｂに供給され、オゾンとの接触処理と微細な酸素気泡および水素気泡との混合処理が継続的に行われることになる。動作制御部８０Ａは、オゾン接触塔８１の貯留容量と循環ポンプ８６の単位時間当たりの吐出量とに基づいて予め算出された（予め定められた）時間稼働すると、酸素発生機８５Ａとオゾン生成機８５Ｂと循環ポンプ８６と電極装置８７の稼働を停止させる処理を実行する。これと同時にカウンタ８０Ｂのカウント値を１増やす処理を実行する。
【００３８】
動作制御部８０Ａは、酸素発生機８５Ａとオゾン生成機８５Ｂと循環ポンプ８６と電極装置８７の稼働を停止させる処理を実行すると同時またはその後に、第２連通路８８の止水弁８８Ａを開放する処理と、排水路８９がオゾン接触塔８１と汚泥貯留槽７０とを連通させるように排水弁８９Ａの流路切替処理を実行する（図６参照）。これにより、オゾン接触塔８１内のオゾン処理水が汚泥貯留槽７０に戻されることになる。
【００３９】
オゾン接触塔８１内のオゾン処理水が全て汚泥貯留槽７０に排出された後（オゾン接触塔８１に低水位を検出する低水位センサを配設し、低水位センサからの検出信号を動作制御部８０Ａに送信するようにしてもよい）動作制御部８０Ａは第２連通路８８の止水弁８８Ａを閉じる処理を実行する。この後、図３に示す状態に戻り、汚泥供給ポンプ８３（散気装置７２が停止していた場合には、汚泥供給ポンプ８３の動作再開に先立って散気装置７２を稼働させた後）を稼働させて汚泥貯留槽７０から活性汚泥または活性汚泥およびオゾン処理水の混合液をオゾン接触塔８１に供給する処理を実行し、以降、同様の処理を繰り返し実行する。
【００４０】
カウンタ８０Ｂのカウント値が所定回数（少なくとも汚泥貯留槽７０の貯留容量をオゾン接触塔８１の貯留容量で除した値である）に到達すると、動作制御部８０Ａは、循環ポンプ８６を所定時間動作させた後、図７に示すように、第１連通路８２を汚泥貯留槽７０と流量調整槽３０を連通させるように第１切替弁８２Ａの流路切替処理を実行する。また、動作制御部８０Ａは、図７に示すように、排水路８９がオゾン接触塔８１と流量調整槽３０を連通させるように排水弁８９Ａの流路切替処理を実行する。さらに動作制御部８０Ａは第２連通路８８の止水弁８８Ａを開放する処理を実行してもよい。なお、図示しないが、流量調整槽３０には第１連通路８２および排水路８９にそれぞれ連結されたポンプが配設されている。これにより、汚泥貯留槽７０およびオゾン接触塔８１内のオゾン処理水を流量調整槽３０に戻して、流量調整槽３０内の排水を希釈させた状態で曝気槽４０による活性汚泥法による分解処理を行うことができる。
【００４１】
カウンタ８０Ｂのカウント値が所定値（オゾン接触塔８１における循環ポンプ８６の稼働回数が所定回数）に到達したとき、汚泥貯留槽７０に貯留されているオゾン処理水は少なくとも一回はオゾン接触塔８１によるオゾン接触処理が行われたことになる。すなわち当初の汚泥貯留槽７０に貯留されていた活性汚泥の容量に比較して活性汚泥の容量が減容されていることになる。出願人が実験した結果、当初の活性汚泥の容量に対し、カウンタ８０Ｂのカウント値が所定値に到達したときの活性汚泥の容量は１／５程度にすることができた。ここで、排水を活性汚泥法により分解処理をして得られた活性汚泥の原液と、本実施形態における汚泥減容装置８０によってオゾンとの接触処理（活性汚泥の分解処理）を所定時間行った後のオゾン処理水の状態変化を図８に示す。また、活性汚泥の原液とオゾン処理水のそれぞれの成分の比較結果のグラフを図９に示す。
【００４２】
以上に説明したように、汚泥貯留槽７０に貯留された活性汚泥および処理水の一部を抽出して汚泥減容装置８０（オゾン接触塔８１）によって減容する処理を繰り返し行うことで、小型で安価な汚泥減容装置８０であっても、活性汚泥を確実に減容処理することができる。
【００４３】
以上に、本考案にかかる汚泥減容装置８０の実施形態について説明をしたが、本考案の技術的範囲は、以上の実施形態に限定されるものではなく、考案の要旨を変更しない範囲において各種の変更を施した構成であっても本考案の技術的範囲に属する。例えば、汚泥減容装置８０（排水処理装置１００）のオペレータがいる場合には動作制御部８０Ａおよびカウンタ８０Ｂの配設を省略することもできる。
【００４４】
また、本実施形態においては、第１連通路８２に２つの第１切替弁８２Ａを配設し、排水路８９にも２つの排水弁８９Ａを配設した形態に基づいて説明しているが、第１連通路８２の分岐部分に２方向切替弁を配設し、排水路８９の分岐部分に２方向切替弁を配設した形態を採用することもできる。
【００４５】
また、本実施形態においては、汚泥貯留槽７０に散気装置７２を配設しているが、散気装置７２の配設は省略することもできる。そして、以上に説明したすべての変形例を適宜組み合わせた汚泥減容装置８０の形態を採用することも可能である。
【符号の説明】
【００４６】
１０  スクリーン，２０  最初沈澱池，３０  流量調整槽，４０  曝気槽，
５０  最終沈澱池，６０  放流ピット，
７０  汚泥貯留槽，７２  散気装置，
８０  汚泥減容装置，８０Ａ  動作制御部，８０Ｂ  カウンタ，
８１  オゾン接触塔，
８１Ａ  水位検出手段，８１Ｂ  循環路，８１Ｃ  上流側端部，８１Ｄ  下流側端部，
８２  第１連通路，８２Ａ  第１切替弁， 
８３  汚泥供給ポンプ，
８５  オゾン処理部，８５Ａ  酸素発生機，８５Ｂ  オゾン生成機，
８６  循環ポンプ，８７  電極装置，
８８  第２連通路，８８Ａ  止水弁，
８９  排水路，８９Ａ  排水弁，
１００  排水処理装置
【図１】
0003208781.tif 000003
【図２】
0003208781.tif 000004
【図３】
0003208781.tif 000005
【図４】
0003208781.tif 000006
【図５】
0003208781.tif 000007
【図６】
0003208781.tif 000008
【図７】
0003208781.tif 000009
【図９】
0003208781.tif 000010
【図８】
0003208781.tif 000011